(57)【特許請求の範囲】
【請求項１】
モジュール式照明ランプであって、
１つ以上のチャンバを備える基部（１）であって、前記チャンバ内に１つ以上の電源（３）が取り付けられる基部（１）と、
前記基部（１）と一体不可分に形成される第１のフレーム（２）と、
前記第１のフレーム（２）又は前記基部（１）に着脱可能に連結される第２のフレーム（４）と、
前記第１のフレーム（２）及び前記第２のフレーム（４）の各々に取り付けられる１つ以上の照明モジュール（６）と
を備えており、前記１つ以上の照明モジュール（６）がＬＥＤ照明モジュール（６３）であって、複数のＬＥＤ光源を備えており、前記複数のＬＥＤ光源の一側部に扇形リフレクタ（６４）が配置される、モジュール式照明ランプ。
【請求項２】
前記第１のフレーム（２）が、前記基部（１）から延在するように形成される、請求項１記載のモジュール式照明ランプ。
【請求項３】
前記ランプが、前記第２のフレーム（４）の一側部に取り付けられるエンドキャップ（５）を備える、請求項１又は請求項２記載のモジュール式照明ランプ。
【請求項４】
前記第２のフレーム（４）が、前記ランプの長軸方向に沿って延在する押出成形部材を含む１本以上の支持バー（２１）を備える、請求項３記載のモジュール式照明ランプ。
【請求項５】
前記第２のフレーム（４）が、前記ランプの長軸方向に沿って延在するスタンピング部材を含む１本以上の支持バー（２１）を備える、請求項３記載のモジュール式照明ランプ。
【請求項６】
前記第２のフレーム（４）が、前記第１のフレーム（２）に固定するための固定手段を備える、請求項１乃至請求項５のいずれか１項記載のモジュール式照明ランプ。
【請求項７】
前記基部（１）内の前記電源（３）がＡＣ−ＤＣモジュールを備え、ＤＣ−ＤＣモジュールが前記照明モジュール（６）上に設置される、請求項１記載のモジュール式照明ランプ。
【請求項８】
前記照明モジュール（６）が、互いに間隔を置いて垂直方向に配置される複数の散熱フィンをさらに備え、それに対応して前記第１のフレーム（２）及び前記第２のフレーム（４）が貫通穴（２２，４０）を備え、前記散熱フィンが前記貫通穴（２２，４０）の下に配置され前記ランプの上の空間と連通する、請求項１乃至請求項７のいずれか１項記載のモジュール式照明ランプ。
【請求項９】
前記ＬＥＤ照明モジュール（６３）が、複数の列のＬＥＤ光源を備え、扇形リフレクタ（６４）が前記複数の列のＬＥＤ光源の一側部に配置される、請求項１乃至請求項８のいずれか１項記載のモジュール式照明ランプ。
【請求項１０】
前記扇形リフレクタ（６４）が、２つの側方部（６４２）と前記２つの側方部（６４２）を連結する反射部（６４１）とを備える扇形構造を形成し、前記２つの側方部（６４２）と前記反射部（６４１）の間に受容空間（６４０）が形成され、前記複数の列のＬＥＤ光源が前記受容空間（６４０）に配置される、請求項９記載のモジュール式照明ランプ。
【発明の詳細な説明】
【技術分野】
【０００１】
本発明の実施形態は、ランプに関し、具体的には、モジュールの数を要望通りに増減させることができるモジュール式発光ダイオード（ＬＥＤ）ランプに関する。
【背景技術】
【０００２】
現在、エネルギ節約のために、ＬＥＤ光源を他の種類の光源に取って代わって使用する傾向がある。ＬＥＤランプは、ある態様では従来型のランプと全体的に似ており、一般的に、その寸法が決まっているので出力はＬＥＤの総数を変えることによって調節することができる。小さな出力しか必要ないのに大きなランプハウジングを使用するのは不経済である。
【０００３】
一般的に、現在入手可能なモジュール式ＬＥＤランプはいずれもランプの基部に取り付けられる脱着可能フレームを有する。必要なＬＥＤ照明モジュールの総数に従って様々な長さのフレームを選択することができる。しかし、脱着可能フレームを有するそうしたランプは、脱着フレームが、通常、押出成形によって作られフレキシビリティに乏しいので、ランプ基部と一体になったフレームを有するものよりも外観が全体的に美しくない。
【先行技術文献】
【特許文献】
【０００４】
【特許文献１】米国特許第２００９／３１６４０４号
【発明の概要】
【発明が解決しようとする課題】
【０００５】
開示された科学技術によって解決されるべき技術的課題は、ランプのフレームと基部の一体形成が難しくランプがフレキシビリティに乏しいという関連の技術分野における欠点を克服することである。したがって、本発明の一実施形態は、新規のモジュール式照明ランプを開示する。
【課題を解決するための手段】
【０００６】
上記の問題を解決するために、本発明の一実施形態は、基部を備えるモジュール式照明ランプを提供する。ランプは、基部と一体に形成される第１のフレーム、第１のフレーム又は基部に連結される第２のフレーム、並びに第１のフレーム及び第２のフレームに取り付けられる１つ以上の照明モジュールをさらに備える。
【０００７】
第１のフレーム及び第２のフレームの特定の設計によって、照明モジュールの総数を要望通りに増減することが可能になる。
【０００８】
第１のフレームがランプの基部と一体に形成されるという本発明の実施形態の技術的解決策によって、通常の使用状態でのランプの美しい外観及び製品のフレキシビリティが確かなものになる。第２のフレームは、特別な要求を受けてランプ構造を伸ばすのに追加することができ、それによって使用にあたり良好な効果が達成されるようになる。
【０００９】
本発明の内容及び利点は、本発明の例示的な実施形態を示した添付の図面を参照すればより明らかになるであろう。
【図面の簡単な説明】
【００１０】
【図１】本発明の一実施形態のモジュール式照明ランプの構造分解図である。
【図２】本発明の実施形態のモジュール式照明ランプの伸縮式押出成形部材の構造図である。
【図３】本発明の実施形態のモジュール式照明ランプの伸縮式押出成形部材の構造分解図である。
【図４】本発明の実施形態のモジュール式照明ランプの伸縮式ランプハウジングのフレーム図である。
【図５】本発明の実施形態のモジュール式照明ランプの光源モジュールの正面図である。
【図６】本発明の実施形態のモジュール式照明ランプの光源モジュールの分解図である。
【図７】本発明の実施形態のモジュール式照明ランプの光源モジュールの組み立て正面図である。
【図８】他の角度から見た、本発明の実施形態のモジュール式照明ランプの光源モジュールの組み立て正面図である。
【発明を実施するための形態】
【００１１】
図１〜図８には本発明の一実施形態が示されている。図１は、モジュール式ＬＥＤランプの構造分解図である。前記ランプは、基部１、第１のフレーム２、電源ケース３、第２のフレーム４、エンドキャップ５及び１つ以上のＬＥＤ光源モジュール６を備える。
【００１２】
基部１は、上側ハウジング１１及び下側ハウジング１２を備える。電源３は、上側ハウジングと下側ハウジングの間に形成される空間に取り付けられる。下側ハウジング１２は、その後方側にピボット軸１２０を備える。ピボット軸１２０は、上側ハウジングの後方側にある１つ以上の穴（図示せず）にそれぞれ取り付けられ、それによって下側ハウジング１２は、上側ハウジング１１に枢動的に取り付けられ得るようになり、また下側ハウジング１２の前方にある固定手段によって上側ハウジング１１と一緒に固定される。上側ハウジングと下側ハウジングの間に形成される空間に取り付けられる電源ケース３は、交流（ＡＣ）から直流（ＤＣ）に変換、又は交流電流ＡＣを直流に変換する。
【００１３】
基部１の前方部は、第１のフレーム２をさらに備える。第１のフレーム２は、使用者の様々な要求に応えて様々な外見を形成するように鋳造によって基部１と一体に形成される。第１のフレーム２は、基部１から前方に延在する支持ロッド、クロスビーム２４、及び上下方向に広がる空間２２を備える。支持バー２１及びクロスビーム２４は、ねじ穴２３をそれぞれ備える。第１のフレーム２の内部には、１つ以上のＬＥＤ光源モジュール６を受ける受容空間が形成される。ボルト７は、支持バー２１の各ねじ穴と対合し、それによってＬＥＤ光源モジュール６が第１のフレーム２に嵌合されるようになる。
【００１４】
第１のフレーム２の長さは要望通りに調節することができる。本実施形態は、使用においてよくある構成の１つである、２つのＬＥＤモジュールを有する構成を示している。ＬＥＤモジュールを１つしか取り付けない場合、第１のフレーム２の一部を取り外すことができる。
【００１５】
図２〜図４を参照すると、第１のフレームの一側部には第２のフレーム４が取り付けられる。第２のフレーム４は、支持バー４１を備える。支持バー４１は、押出成形部材又はスタンピング部材であり、ランプの軸方向に沿って延在し、その上面は、セルフタッピングねじ７によってクロスビーム４２及び４５に連結される。クロスビーム４２、４５及び支持バー４１は、上面４３と相まって貫通空間４０を形成する。必要なランプの出力によって取り付ける光モジュールの総数を変え、したがって支持バー４１及び上面４３の長さも変えられる。
【００１６】
図５及び図６を参照すると、ＬＥＤモジュール６は、ラジエータを備える。ラジエータの中央内部には受容部６７が形成され、その背部はＤＣ−ＤＣ回路（図示せず）を備える。受容部６７内には回路基板６８がある。回路基板６８上にはＬＥＤ光源６３が取り付けられる。散熱リッジ６１は、受容部６７の背部から両側部まで延在し、且つラジエータから垂直及び上方に延在する。散熱リッジ６１の間には貫通穴６２が形成され、それによって熱の発散が容易になる。図７及び図８に示されるように、ＬＥＤモジュール６を第１のフレーム２及び第２のフレーム４上に取り付けるとき、散熱リッジ６１及び貫通穴６２の少なくとも一部が貫通空間２２及び４０の直下に配置され、それによって垂直方向に延在する散熱リッジ６１の散熱が容易になり、またランプ上に汚れ及び破片がたまらなくなる。
【００１７】
リフレクタ６４は、２つの側方部６４２及び２つの側方部６４２を連結する反射部６４１を備え、扇形構造を形成する。側方部６４２と反射部６４１の間には受容空間が形成され、ＬＥＤ光源６３に対応する。本実施形態では、各ＬＥＤモジュール６は、回路基板６８上のＬＥＤ光源６３にそれぞれ対応する３つのリフレクタ６４を備える。ＬＥＤモジュール６を回路基板６８に取り付けるとき、ＬＥＤ光源６３は受容空間６４０内に配置される。光源６３は、リフレクタ６４に光を発し、リフレクタ６４から反射した光がレンズ６５を通って外部に発せられる。光のなかには、反射されずに外部に直接発せられるものもある。本実施形態によって、特定の設計の扇形リフレクタ６４が各ＬＥＤ光源６３に近接するようになされるので、それによって良好な光学的効果を達成できるようになる。プレスプレート６６によって、ＬＥＤモジュール６上にレンズ６５とリフレクタ６４が固定される。
【００１８】
エンドキャップ５は、第２のフレーム４の一側部に取り付けられる。エンドキャップ５は、固定構造が第２のフレーム４と第１のフレーム２に共通なので、第１のフレーム２の一側部に直接取り付けることもできる。その結果、ランプ一式が組み立てられる。換言すると、エンドキャップ５は、第１のフレーム２又は基部に連結可能であり、構造的には第２のフレーム４における固定手段と同様である。
【００１９】
本発明の実施形態のランプは、エンドキャップを有する構成の代わりに基部及び基部と一体になった第１のフレームを有する構成を使用することができる。ランプは、第１のフレーム又は基部に連結されるように取り付けられる第２のフレームをさらに備える。
【００２０】
第１のフレーム２がランプの基部１と一体に形成されるという本発明の実施形態によって、通常の使用状態でのランプの美しい外観及び製品のフレキシビリティが確かなものになる。第２のフレームは、特別な要求を受けてランプ構造を伸ばすのに追加することができ、それによって使用にあたり良好な効果が達成されるようになる。
【符号の説明】
【００２１】
１  基部
２  第１のフレーム
３  電源ケース
４  第２のフレーム
５  エンドキャップ
６  ＬＥＤ光源モジュール
７  ボルト、セルフタッピングねじ
１１  上側ハウジング
１２  下側ハウジング
２１  支持バー
２２  空間
２３  ねじ穴
２４  クロスビーム
４０  貫通空間
４１  支持バー
４２  クロスビーム
４３  上面
４５  クロスビーム
６１  散熱リッジ
６２  貫通穴
６３  ＬＥＤ光源
６４  リフレクタ
６５  レンズ
６６  プレスプレート
６７  受容部
６８  回路基板
１２０  ピボット軸
６４０  受容空間
６４１  反射部
６４２  側方部
【図１】
0006050756.tif 000002
【図２】
0006050756.tif 000003
【図３】
0006050756.tif 000004
【図４】
0006050756.tif 000005
【図５】
0006050756.tif 000006
【図６】
0006050756.tif 000007
【図７】
0006050756.tif 000008
【図８】
0006050756.tif 000009